(57)【要約】【課題】  本発明はキーボード側から本体内部への液体の浸入を極力防止し、着脱が容易なキーボードを有する電子機器を提供することを目的とする。【解決手段】    キーボード５を載置部８に載置した場合、キーボード５のコネクタ２２は開口部１０を介して回路基板１２のコネクタ１３に結合される。同様にキーボード５の取付部２３は開口部１１を介して回路基板１２のネジ穴１２ｃに対向して回路基板１２の上面１２ａに当接される。取付部２３はネジ３２により下ケース２ａおよび回路基板１２を介してボス３１とネジ固定される。底面２０ａは上面９ａに当接される。シーリング部材２１、３３は窪み部１０ａおよび１１ａと板金２０の底面２０ａとの間に圧縮状態で介在され。【選択図】  図４
2007272402.tif 000002
【特許請求の範囲】
【請求項１】
載置部を有する本体と、
第１の開口部を有するとともに上記キーボード載置部に設けられる底壁と、
上記本体に内蔵されるとともに上記第１の開口部を介して露出される第１のコネクタが実装された回路基板と、
上記載置部に着脱可能に載置されるとともに、上記第１のコネクタに電気的に接続されるキーボードと、を有し、
上記キーボードは、
複数のキーと、
複数のキーが支持される板金と、
上記複数のキーと上記板金との間に設けられる柔軟性を有した回路基板と、
上記回路基板に電気的に接続されるとともに、上記板金に固定されるとともに、上記載置部に上記キーボードが載置されたとき、上記第１の開口部を介して上記第１のコネクタに結合される第２のコネクタと、
上記第２のコネクタを囲むように上記板金に取り付けられるとともに、上記載置部に上記キーボードが載置されたとき、上記第１の開口部の周囲において上記板金と上記載置部の底壁との間に介在される第１のシーリング部材と、
を具備することを特徴とする電子機器。
【請求項２】
上記板金は取付部を有し、この取付部は上記本体の底壁を介してねじ固定されることを特徴とする請求項１記載の電子機器。
【請求項３】
上記載置部の底壁は上記取付部が挿入される第２の開口部を有することを特徴とする請求項２記載の電子機器。
【請求項４】
上記載置部に上記キーボードが載置されたとき、上記第２の開口部の周囲において上記板金と上記載置部の底壁との間に介在される第２のシーリング部材を有することを特徴とする請求項３記載の電子機器。
【請求項５】
上記第１の開口部は、上記壁部の上面から一段下がった窪み部を有し、この窪み部の縁部は上方に起き上がったリブを有し、上記載置部に上記キーボードが載置されたとき、上記第１の給水部材は上記窪み部と上記板金との間に介在されることを特徴とする請求項１記載の電子機器。
【発明の詳細な説明】
【技術分野】
【０００１】
本発明は、キーボードの着脱を容易に行うとともに、キーボード下への水等の液体の浸入を極力防止する電子機器に関する。
【背景技術】
【０００２】
一般に、携帯型コンピュータ所謂、ノートブック型パーソナルコンピュータ等の電子機器は、小型軽量化を実現するために、電子回路部品が実装された回路基板の上方にキーボートやスイッチ類が配置されている。コンピュータ本体内には回路基板が内蔵されている。キーボードからはキーボードの回路基板から伸びるフレキシブルな平坦なケーブルが延出されている。このケーブルを本体内の回路基板のコネクタに接続する作業を要する。そのため、筐体上カバーには回路基板を露出するための大きく開いた開口部が設けられている。この開口部は、キーボード基板を組み付けて塞がれている。
【０００３】
キー入力時などキーボートを露出している状態で、使用者の不注意により飲料水等の液体をキーボードに溢した場合、キーボード自体を防滴構造としても、キーボード基板の縁と本体ケースの繋がり部分の隙間から内部に浸入する虞がある。特に、回路基板などに液体が付着した場合には、配線の短絡等が発生し、実装される電子回路部品が損傷を受ける虞がある。
【０００４】
近年このような問題を防ぐため、キーボードの取付構造においては所謂防滴構造が採用されている。このような防滴構造は、例えば、特許文献１には、キーボードが設けられるベースプレートに外部に通じる排出ホールを開口して、キーボートに溢された液体が排出ホールを通過して、即ちコンピュータ本体内部を通り抜けて外部に排出する技術が開示されている。
（特許文献１参照）。
【特許文献１】特開２００３−１２２４５４）
【発明の開示】
【発明が解決しようとする課題】
【０００５】
特許文献１に開示される構造はあえてコンピュータ内部を介して外部へ排水する構造となっており、排水時にコンピュータ内部に液体が浸入してしまう虞がある。
【０００６】
そこで本発明は、キーボード側から本体内部への液体の浸入を極力防止するとともに着脱が容易なキーボードを有する電子機器を提供することを目的とする。
【課題を解決するための手段】
【０００７】
上記目的を達成するために、請求項１にかかる電子機器は、載置部を有する本体と、第１の開口部を有するとともにキーボード載置部に設けられる底壁と、本体に内蔵されるとともに第１の開口部を介して露出される第１のコネクタが実装された回路基板と、載置部に着脱可能に載置されるとともに、第１のコネクタに電気的に接続されるキーボードと、を有し、キーボードは、複数のキーと、複数のキーが支持される板金と、複数のキーと板金との間に設けられる柔軟性を有した回路基板と、回路基板に電気的に接続されるとともに、板金に固定されるとともに、載置部にキーボードが載置されたとき、第１の開口部を介して第１のコネクタに結合される第２のコネクタと、第２のコネクタを囲むように板金に取り付けられるとともに、載置部にキーボードが載置されたとき、第１の開口部の周囲において板金と載置部の底壁との間に介在される第１のシーリング部材と、を具備することを特徴とする。
【発明の効果】
【０００８】
本発明によれば、キーボード側から本体内部への液体の浸入を極力防止するとともに着脱が容易なキーボードを有する電子機器を提供することができる。
【発明を実施するための最良の形態】
【０００９】
以下、図面を参照して本発明の実施形態について詳細に説明する。
【００１０】
図１は、電子機器の斜視図である。図２は、電子機器からキーボードを取り外した状態を示す分解斜視図である。
【００１１】
図１、２に示すようにノート型コンピュータ(電子機器)１は本体２と、この本体２にヒンジ部４を介して回動自在に結合される表示部３を有している。本体２は下ケース２ａとこの下ケース２ａに結合される上ケース２ｂとを有している。上ケース２ｂにはキーボード５を着脱可能に載置するためのキーボード載置部８（以降  載置部と称す）が設けられている。キーボード載置部８はキーボード５と略同じ大きさを有している。表示部３は内部に表示装置６を内蔵している。本体２の内部には後述する回路基板１２が内蔵されている。
【００１２】
キーボード載置部８には、板状の底壁９を有している。キーボード５を載置部８に載置した際、キーボード５の底面が当接する。底壁９は上ケース２ｂと一体に形成されていてもよく、あるいは載置部８を大きな開口部として形成し、この開口部に上ケース２ｂとは別ピース例えば板金等の部材を覆うように取り付ける構成としても良い。
【００１３】
底壁９には第１の開口部１０および第２の開口部１１が設けられている。第１の開口部１０は本体２内部に設けられている回路基板１２を露出する。この回路基板には第１のコネクタ１３が実装されており、第１の開口部１０を介して露出される。第１の開口部１０はコネクタ１３を露出する程度の大きさに形成されている。第２の開口部１１はキーボード５の後述する取付部を挿入するためのものである。
【００１４】
図３は、キーボードの裏面を示した斜視図である。図４は、筐体とキーボードとの関係を示す断面図である。図３、図４に示すようにキーボード５は上面に複数のキー７を有している。キーボード５は金属製の板金２０を有している。板金２０は載置部８と略同じ大きさに形成されている。板金２０は前端縁（載置部８の前部に対応する縁部）に複数の係合片２６を一体に有している。また、後端縁（載置部８の後部に対応する縁部）に複数の固定片２４を一体に有する。固定片２４にはそれぞれネジが挿入されるネジ穴２５が設けられる。
【００１５】
板金２０と複数のキー７との間には柔軟性を有した回路基板２７が設けられる。回路基板２７はメンブレンシート等で形成されており、複数のキー７の操作によりスイッチングされる図示しない複数のスイッチを有している。
【００１６】
複数のキー７はそれぞれパンタグラフ状のリンク機構７ａを有しており、これらリンク機構７ａは回路基板２７の図示しない開口部を介して板金２０に支持されている。
【００１７】
板金２０の底面２０ａにはコネクタ２２が取り付けられる。コネクタ２２は回路基板２７と電気的に接続されている。コネクタ２２の周囲にはコネクタ２２を取り囲むように弾性を有するシーリング部材２１が設けられる。また、板金２０の底面２０ａにはボス状に形成された取付部２３が設けられる。取付部２３は板金２０と一体形成されても良いし、板金２０とは別タイに形成され取付部２３を板金２０に固定しても良い。取付部２３の周囲には取付部２３を取り囲むように弾性を有するシーリング部材３３が設けられる。シーリング部材２１および３３は両面テープあるいは接着剤等により板金２０の底面２０ａに貼り付けられる。
【００１８】
キーボード５を載置部８に載置する際は、キーボード５の前縁部の複数の係合片２６を載置部８に設けられている図示しない係合孔に挿入する。この係合孔と係合片２６との係合を支点にキーボード５の後端縁を下方に回転させるように載置部８に載置する。次に図示しないネジを固定片２４のネジ穴に挿入し、固定片２４を載置部８に固定する。この一連の動作でコネクタ２２は開口部１０に挿入される。同様に取付部２３は開口部１１に挿入される。
【００１９】
下ケース２ａはボス３０を一体に有している。また下ケース２ａはボス３１を一体に有している。本体２内部には回路基板１２が内蔵されており、ボス３０および３１の上面に回路基板１２の下面１２ｃが当接している。回路基板１２の上面１２ａにはコネクタ１３が実装されている。コネクタ１３はボス３０と回路基板１２を挟んで対向するように位置している。さらに回路基板１２にはネジ穴１２ｂが形成されておりボス３１と対向している。
【００２０】
上述したようにキーボード５を載置部８に載置した際、板金２０に設けられているコネクタ２２は開口部１０を介して回路基板１２に設けられているコネクタ１３に結合される。同様に板金２０に設けられている取付部２３は開口部１１を介して回路基板１２のネジ穴１２ｃに対向して回路基板１２の上面１２ａに当接される。この状態で取付部２３はネジ３２により下ケース２ａおよび回路基板１２を介してボス３１と取付部２３とがネジ固定される。
【００２１】
壁部９に形成されている開口部１０および開口部１１の開口縁部は、それぞれ壁部９の上面９ａから一段下がった窪み部１０ａおよび１１ａを有している。この窪み部１０ａおよび１１ａの縁部はキーボード５の板金２０方向（上方）に起き上がったリブ１０ｂおよび１１ｂをそれぞれ有している。
【００２２】
キーボード５が載置部８に載置された状態において、キーボード５の板金２０の底面２０ａは底壁９の上面９ａに当接される状態となる。この状態において、板金２０に取り付けられているシーリング部材２１および３３はそれぞれ、窪み部１０ａおよび１１ａと対向しており、シーリング部材２１および３３は窪み部１０ａおよび１１ａと板金２０の底面２０ａとの間に圧縮された状態で介在されることになる。開口部１０および１１の縁部を上述したような構成にしたことにより、もし、キーボード５上にかかった液体が板金２０と底壁９との間に入り込んだとしても、窪み部１０ａおよび１１ａ若干液体がたまる構成となり溜まった液体はシーリング部材２１および３３により内部への侵入を防止することができる。
【００２３】
上述したような構成により、キーボード５を載置部８に載置および固定する方法でキーボード５はコネクタ２２および１３同士の結合を介して電気的接続がなされると同時に、コネクタ結合およびキーボード固定を行うための開口部１０および１１の周囲からの液体の本体２内部への侵入を防止することが可能となる。
【００２４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００２５】
【図１】電子機器の斜視図。
【図２】電子機器からキーボードを取り外した状態を示す分解斜視図。
【図３】キーボードの裏面を示した斜視図。
【図４】筐体とキーボードとの関係を示す断面図。
【符号の説明】
【００２６】
１…ノート型コンピュータ(電子機器)、２…本体、２ａ…下ケース、２ｂ…上ケース、３…表示部、４…ヒンジ部、５…キーボード、６…表示装置、７…キー、７ａ…リンク機構、８…キーボード載置部、９…底壁、１０…第１の開口部、１０ａ，１１ａ…窪み部、１０ｂ，１１ｂ…リブ、１１…第２の開口部、１２…回路基板、１３…第１のコネクタ、２０…板金、２１，３３…シーリング部材、２３…取付部、２４…固定片、２５…ネジ穴、２６…係合片、２７…回路基板、３０,３１…ボス、３２…ネジ、
【図１】
2007272402.tif 000003
【図２】
2007272402.tif 000004
【図３】
2007272402.tif 000005
【図４】
2007272402.tif 000006